(57)【要約】      （修正有）【課題】近接センサの感度補正を改善できる電子機器、感度補正方法及び感度補正プログラムを提供する。【解決手段】電子機器は、赤外線型の近接センサ５と、近接センサの近傍に設けられる照度センサ４と、近接センサの検出値の補正に用いる基準値の更新条件を記憶するストレージ９と、制御部とを備える。当該制御部は、照度センサの検出値及び近接センサの検出値が前記更新条件を満足するかを判定する。制御部は、判定の結果、更新条件を満足する場合、基準値を更新する。【選択図】図１
2019002726.tif 000002
【特許請求の範囲】
【請求項１】
赤外線型の近接センサと、
前記近接センサの近傍に設けられる照度センサと、
前記近接センサの検出値の補正に用いる基準値の更新条件を記憶するストレージと、
制御部とを備え、
前記制御部は、前記照度センサの検出値及び前記近接センサの検出値が前記更新条件を満足するかを判定し、
判定の結果、前記更新条件を満足する場合、前記基準値を更新する電子機器。
【請求項２】
加速度センサをさらに備え、
前記制御部は、
前記基準値の更新後、所定の周期で、前記照度センサ及び近接センサの検出値、並びに前記加速度センサの検出値が前記更新条件を満足するか否かを判定し、判定の結果、前記照度センサ及び近接センサの検出値、並びに前記加速度センサの検出値が前記更新条件を満足する場合、前記基準値を更新する請求項１に記載の電子機器。
【請求項３】
前記制御部は、
前記基準値の更新後、前記近接センサのクロストーク値を継続的に監視し、クロストーク値が閾値以上となった場合、前記基準値を更新する請求項１に記載の電子機器。
【請求項４】
表示部の表示面を覆う保護シートを備え、
当該保護シートは、前記近接センサの赤外線照射口の真上を覆っている請求項１に記載の電子機器。
【請求項５】
近接センサと、当該近接センサの近傍に設けられる照度センサと、前記近接センサの検出値の補正に用いる基準値の更新条件を記憶するストレージとを備える電子機器に実行させる感度補正方法であって、
前記照度センサの検出値及び前記近接センサの検出値が前記更新条件を満足するかを判定し、判定の結果、前記更新条件を満足する場合、前記基準値を更新するステップを含む感度補正方法。
【請求項６】
近接センサと、当該近接センサの近傍に設けられる照度センサと、前記近接センサの検出値の補正に用いる基準値の更新条件を記憶するストレージとを備える電子機器に、
前記照度センサの検出値及び前記近接センサの検出値が前記更新条件を満足するかを判定し、判定の結果、前記更新条件を満足する場合、前記基準値を更新するステップを実行させる感度補正プログラム。
【発明の詳細な説明】
【技術分野】
【０００１】
本出願は、電子機器、感度補正方法及び感度補正プログラムに関する。
【背景技術】
【０００２】
従来、近接センサの感度を補正することを目的として、所定のタイミングで近接センサの基準値を更新する装置がある。
【先行技術文献】
【特許文献】
【０００３】
【特許文献１】特開２０１０−２３５０６７号公報
【発明の概要】
【発明が解決しようとする課題】
【０００４】
従来の近接センサの感度補正には改善の余地がある。
【課題を解決するための手段】
【０００５】
１つの態様に係る電子機器は、赤外線型の近接センサと、前記近接センサの近傍に設けられる照度センサと、前記近接センサの検出値の補正に用いる基準値の更新条件を記憶するストレージと、制御部とを備える。当該制御部は、前記照度センサの検出値及び前記近接センサの検出値が前記更新条件を満足するかを判定し、判定の結果、前記更新条件を満足する場合、前記基準値を更新する。
【０００６】
１つの態様に係る感度補正方法は、近接センサと、当該近接センサの近傍に設けられる照度センサと、前記近接センサの検出値の補正に用いる基準値の更新条件を記憶するストレージとを備える電子機器に実行させる感度補正方法である。当該感度補正方法は、前記照度センサの検出値及び前記近接センサの検出値が前記更新条件を満足するかを判定し、判定の結果、前記更新条件を満足する場合、前記基準値を更新するステップを含む。
【０００７】
１つの態様に係る感度補正プログラムは、近接センサと、当該近接センサの近傍に設けられる照度センサと、前記近接センサの検出値の補正に用いる基準値の更新条件を記憶するストレージとを備える電子機器に、前記照度センサの検出値及び前記近接センサの検出値が前記更新条件を満足するかを判定し、判定の結果、前記更新条件を満足する場合、前記基準値を更新するステップを実行させる。
【図面の簡単な説明】
【０００８】
【図１】図１は、実施形態に係るスマートフォンの機能構成の一例を示すブロック図である。
【図２】図２は、実施形態に係るキャリブレーション実行条件の一例を示す図である。
【図３】図３は、実施形態に係るスマートフォンの正面図である。
【図４】図４は、図３に示すＩ−Ｉ線における断面を模式的に示す図である。
【図５】図５は、実施形態に係る近接センサの出力と検知距離との関係を示す図である。
【図６】図６は、実施形態に係るスマートフォンによる処理の一例を示すフローチャートである。
【図７】図７は、実施形態に係るユーザインタフェースの一例を示す図である。
【図８】図８は、他の実施形態に係るキャリブレーション実行条件の一例を示す図である。
【図９】図９は、他の実施形態に係るスマートフォンによる処理の一例を示すフローチャートである。
【図１０】図１０は、他の実施形態に係るスマートフォンによる処理の一例を示すフローチャートである。
【図１１】図１１は、他の実施形態に係るスマートフォンによる処理の一例を示すフローチャートである。
【発明を実施するための形態】
【０００９】
本出願に係る実施形態を、図面を参照しつつ詳細に説明する。以下の説明において、同様の構成要素について同一の符号を付すことがある。さらに、重複する説明は省略することがある。以下では、本出願に係る電子機器の一例として、スマートフォンを取り上げて説明する。
【００１０】
図１は、実施形態に係るスマートフォンの機能構成の一例を示すブロック図である。以下の説明において、同様の構成要素について同一の符号を付すことがある。以下の説明において、重複する説明は省略することがある。以下の説明において、スマートフォン１を「自機」と表記する場合がある。
【００１１】
図１に示すように、スマートフォン１は、タッチスクリーンディスプレイ２と、ボタン３と、照度センサ４と、近接センサ５と、通信ユニット６と、レシーバ７と、マイク８と、ストレージ９と、コントローラ１０と、スピーカ１１と、カメラ１２と、カメラ１３と、コネクタ１４と、加速度センサ１５と、方位センサ１６と、角速度センサ１７と、気圧センサ１８と、ＧＰＳ受信機１９とを含む。
【００１２】
タッチスクリーンディスプレイ２は、ディスプレイ２Ａと、タッチスクリーン２Ｂとを有する。ディスプレイ２Ａ及びタッチスクリーン２Ｂは、例えば、重なって位置してよいし、並んで位置してよいし、離れて位置してよい。ディスプレイ２Ａとタッチスクリーン２Ｂとが重なって位置する場合、例えば、ディスプレイ２Ａの１ないし複数の辺は、タッチスクリーン２Ｂのいずれの辺とも沿っていなくてもよい。
【００１３】
ディスプレイ２Ａは、液晶ディスプレイ（ＬＣＤ：Ｌｉｑｕｉｄ  Ｃｒｙｓｔａｌ  Ｄｉｓｐｌａｙ）、有機ＥＬディスプレイ（ＯＥＬＤ：Ｏｒｇａｎｉｃ  Ｅｌｅｃｔｒｏ−Ｌｕｍｉｎｅｓｃｅｎｃｅ  Ｄｉｓｐｌａｙ）、又は無機ＥＬディスプレイ（ＩＥＬＤ：Ｉｎｏｒｇａｎｉｃ  Ｅｌｅｃｔｒｏ−Ｌｕｍｉｎｅｓｃｅｎｃｅ  Ｄｉｓｐｌａｙ）等の表示デバイスを含む。ディスプレイ２Ａは、文字、画像、記号、及び図形等のオブジェクトを画面内に表示する。ディスプレイ２Ａが表示するオブジェクトを含む画面は、ロック画面と呼ばれる画面、ホーム画面と呼ばれる画面、アプリケーションの実行中に表示されるアプリケーション画面を含む。ホーム画面は、デスクトップ、待受画面、アイドル画面、標準画面、アプリ一覧画面又はランチャー画面と呼ばれることもある。
【００１４】
タッチスクリーン２Ｂは、タッチスクリーン２Ｂに対する指、ペン、又はスタイラスペン等の接触又は近接を検出する。タッチスクリーン２Ｂは、複数の指、ペン、又はスタイラスペン等がタッチスクリーン２Ｂに接触又は近接したときのタッチスクリーン２Ｂ上の位置を検出することができる。以下の説明において、タッチスクリーン２Ｂが検出する複数の指、ペン、及びスタイラスペン等がタッチスクリーン２Ｂに接触又は近接した位置を「検出位置」と表記する。タッチスクリーン２Ｂは、タッチスクリーン２Ｂに対する指の接触又は近接を、検出位置とともにコントローラ１０に通知する。タッチスクリーン２Ｂは、検出位置の通知をもって接触又は近接の検出をコントローラ１０に通知してよい。タッチスクリーン２Ｂが行える動作を、タッチスクリーン２Ｂを有するタッチスクリーンディスプレイ２は実行できる。言い換えると、タッチスクリーン２Ｂが行う動作は、タッチスクリーンディスプレイ２が行ってもよい。
【００１５】
コントローラ１０は、タッチスクリーン２Ｂにより検出された接触又は近接、検出位置、検出位置の変化、接触又は近接が継続した時間、接触又は近接が検出された間隔、及び接触が検出された回数の少なくとも１つに基づいて、ジェスチャの種別を判別する。コントローラ１０が行える動作を、コントローラ１０を有するスマートフォン１は実行できる。言い換えると、コントローラ１０が行う動作は、スマートフォン１が行ってもよい。ジェスチャは、指を用いて、タッチスクリーン２Ｂに対して行われる操作である。タッチスクリーン２Ｂに対して行われる操作は、タッチスクリーン２Ｂを有するタッチスクリーンディスプレイ２により行われてもよい。コントローラ１０が、タッチスクリーン２Ｂを介して判別するジェスチャには、例えば、タッチ、ロングタッチ、リリース、スワイプ、タップ、ダブルタップ、ロングタップ、ドラッグ、フリック、ピンチイン、及びピンチアウトが含まれるが、これらに限定されない。
【００１６】
タッチスクリーン２Ｂの検出方式は、静電容量方式、抵抗膜方式、表面弾性波方式、赤外線方式、及び荷重検出方式等の任意の方式でよい。
【００１７】
ボタン３は、ユーザからの操作入力を受け付ける。ボタン３の数は、単数であっても、複数であってもよい。
【００１８】
照度センサ４は、照度を検出する。照度は、照度センサ４の測定面の単位面積に入射する光束の値である。照度センサ４は、例えば、ディスプレイ２Ａの輝度の調整に用いられる。
【００１９】
近接センサ５は、近隣の物体の存在を非接触で検出する。近接センサ５は、赤外線を照射する発光素子と、発光素子から照射された赤外線の反射光を受光する受光素子を有する。照度センサ４及び近接センサ５は、１つのセンサとして構成されていてもよい。
【００２０】
通信ユニット６は、無線により通信する。通信ユニット６によってサポートされる無線通信規格には、例えば、２Ｇ、３Ｇ、４Ｇ、５Ｇ等のセルラーフォンの通信規格と、近距離無線の通信規格とが含まれる。セルラーフォンの通信規格としては、例えば、ＬＴＥ（Ｌｏｎｇ  Ｔｅｒｍ  Ｅｖｏｌｕｔｉｏｎ）、Ｗ−ＣＤＭＡ（登録商標）（Ｗｉｄｅｂａｎｄ  Ｃｏｄｅ  Ｄｉｖｉｓｉｏｎ  Ｍｕｌｔｉｐｌｅ  Ａｃｃｅｓｓ）、ＣＤＭＡ２０００、ＰＤＣ（Ｐｅｒｓｏｎａｌ  Ｄｉｇｉｔａｌ  Ｃｅｌｌｕｌａｒ）、ＧＳＭ（登録商標）（Ｇｌｏｂａｌ  Ｓｙｓｔｅｍ  ｆｏｒ  Ｍｏｂｉｌｅ  ｃｏｍｍｕｎｉｃａｔｉｏｎｓ）、ＰＨＳ（Ｐｅｒｓｏｎａｌ  Ｈａｎｄｙ−ｐｈｏｎｅ  Ｓｙｓｔｅｍ）等がある。近距離無線の通信規格としては、例えば、ＷｉＭＡＸ（登録商標）（Ｗｏｒｌｄｗｉｄｅ  ｉｎｔｅｒｏｐｅｒａｂｉｌｉｔｙ  ｆｏｒ  Ｍｉｃｒｏｗａｖｅ  Ａｃｃｅｓｓ）、ＩＥＥＥ８０２．１１、Ｂｌｕｅｔｏｏｔｈ（登録商標）、ＩｒＤＡ（Ｉｎｆｒａｒｅｄ  Ｄａｔａ  Ａｓｓｏｃｉａｔｉｏｎ）、ＮＦＣ（登録商標）（Ｎｅａｒ  Ｆｉｅｌｄ  Ｃｏｍｍｕｎｉｃａｔｉｏｎ）、ＷＰＡＮ（Ｗｉｒｅｌｅｓｓ  Ｐｅｒｓｏｎａｌ  Ａｒｅａ  Ｎｅｔｗｏｒｋ）等が含まれる。通信ユニット６は、上述した通信規格の１つ又は複数をサポートしていてもよい。
【００２１】
レシーバ７は、コントローラ１０から送出される音信号を音として出力する。マイク８は、入力されるユーザの声等を音信号へ変換してコントローラ１０へ送信する。
【００２２】
ストレージ９は、プログラム及びデータを記憶する。ストレージ９は、コントローラ１０の処理結果を一時的に記憶する作業領域として利用されてもよい。ストレージ９は、半導体記憶媒体、及び磁気記憶媒体等の任意の非一過的（ｎｏｎ−ｔｒａｎｓｉｔｏｒｙ）な記憶媒体を含んでよい。ストレージ９は、複数の種類の記憶媒体を含んでよい。ストレージ９は、メモリカード、光ディスク、又は光磁気ディスク等の記憶媒体と、記憶媒体の読み取り装置との組み合わせを含んでよい。ストレージ９は、ＲＡＭ（Ｒａｎｄｏｍ  Ａｃｃｅｓｓ  Ｍｅｍｏｒｙ）等の一時的な記憶領域として利用される記憶デバイスを含んでよい。
【００２３】
ストレージ９に記憶されるプログラムには、フォアグランド又はバックグランドで実行されるアプリケーションと、アプリケーションの動作を支援する支援プログラム（図示略）とが含まれる。アプリケーションは、例えば、フォアグランドで実行される場合、当該アプリケーションに係る画面を、ディスプレイ２Ａに表示する。支援プログラムには、例えば、ＯＳ（Ｏｐｅｒａｔｉｎｇ  Ｓｙｓｔｅｍ）が含まれる。プログラムは、通信ユニット６による無線通信又は非一過的な記憶媒体を介してストレージ９にインストールされてもよい。
【００２４】
ストレージ９は、制御プログラム９Ａ、キャリブレーションプログラム９Ｂ、照度センサデータ９Ｃ、近接センサデータ９Ｄ、加速度センサデータ９Ｅ、キャリブレーション実行条件９Ｆ、及び設定データ９Ｚなどを記憶できる。
【００２５】
制御プログラム９Ａは、スマートフォン１の各種動作に関する処理を実現するための機能をそれぞれ提供できる。制御プログラム９Ａが提供する機能は、照度センサ４の検出結果に基づいて、ディスプレイ２Ａの輝度を調整する機能を含む。制御プログラム９Ａが提供する機能は、近接センサ５の検出結果に基づいて、タッチスクリーン２Ｂに対する操作を無効とする機能を含む。制御プログラム９Ａが提供する機能は、通信ユニット６、レシーバ７、及びマイク８等を制御することによって、通話を実現させる機能を含む。制御プログラム９Ａが提供する機能は、カメラ１２、及びカメラ１３の撮影処理を制御する機能を含む。制御プログラム９Ａが提供する機能は、コネクタ１４を介して接続される外部機器との間の通信を制御する機能を含む。制御プログラム９Ａが提供する機能は、タッチスクリーン２Ｂの検出結果に基づいて判別したジェスチャに応じて、ディスプレイ２Ａに表示されている情報を変更する等の各種制御を行う機能を含む。制御プログラム９Ａが提供する機能は、加速度センサ１５の検出結果に基づいて、スマートフォン１を携帯するユーザの移動、停止等を検出する機能を含む。制御プログラム９Ａが提供する機能は、ＧＰＳ受信機より取得する信号に基づいて、現在位置に基づく処理を実行する機能を含む。
【００２６】
キャリブレーションプログラム９Ｂは、照度センサデータ９Ｃ及び近接センサデータ９Ｄがキャリブレーション実行条件９Ｆを満足することを条件として、近接センサ５の検出値の補正に用いる基準値（以下、適宜「オフセット」と記載する）を更新する機能を提供できる。キャリブレーションプログラム９Ｂは、照度センサデータ９Ｃに含まれる複数のデータサンプルから、赤外線成分に対応するデータ及び可視光成分に対応するデータを抽出し、赤外線成分に対応するデータと可視光成分に対応するデータとの比が閾値以下であるかを判定する機能を提供できる。キャリブレーションプログラム９Ｂは、近接センサデータ９Ｄに含まれる複数のデータサンプルの平均値を算出し、算出した平均値が閾値以下であるかを判定する機能を提供できる。キャリブレーションプログラム９Ｂによるオフセットの更新処理は、例えば、ユーザの操作によって開始される。キャリブレーションプログラム９Ｂは、キャリブレーションに関連するユーザインタフェースを提供できる。
【００２７】
照度センサデータ９Ｃは、照度センサ４により検出される検出値の全データである。近接センサデータ９Ｄは、近接センサ５により検出される検出値の全データである。加速度センサデータ９Ｅは、加速度センサ１５により検出される検出値の全データである。加速度センサデータ９Ｅは、スマートフォン１に作用する加速度の方向及び大きさを含む。加速度センサデータ９Ｅは、加速度センサ１５により取得される全ての測定結果を含んでよい。例えば、加速度センサデータ９Ｅは、加速度の方向及び大きさの時系列変化で構成される加速度パターンを含んでよい。例えば、加速度センサデータ９Ｅは、加速度センサ１５がｘ軸方向、ｙ軸方向、及びｚ軸方向の加速度を検出する３軸型である場合、各軸における加速度の方向及び大きさ、並びに３軸の加速度を合成した合成ベクトルを含んでよい。
【００２８】
キャリブレーション実行条件９Ｆは、近接センサ５のオフセットを更新するための条件を含む。図２は、実施形態に係るキャリブレーション実行条件の一例を示す図である。図２に示す例では、照度センサ４の検出値ｄ１が閾値ｔｈ１以下であり、かつ近接センサ５の検出値ｄ２が閾値ｔｈ２以下である場合、キャリブレーションを実行することが規定されている。一方、図２に示す例では、照度センサ４の検出値ｄ１が閾値ｔｈ１より大きく、かつ近接センサ５の検出値ｄ２が閾値ｔｈ２よりも大きい場合、キャリブレーションを実行しないことが規定されている。
【００２９】
すなわち、照度センサ４の検出値ｄ１が閾値ｔｈ１より大きい場合を、キャリブレーションを実行しない必要条件の１つとして組み入れることにより、例えば、晴れた日中の屋外などの明る過ぎる場所など、赤外線型の近接センサ５のキャリブレーションに適していない場所でキャリブレーションが実行されることを避けることができる。近接センサ５の検出値ｄ２が閾値ｔｈ２より大きい場合を、キャリブレーションを実行しない必要条件の１つとして組み入れることにより、例えば、近接センサ５の上部に障害物がある状況など、赤外線型の近接センサ５のキャリブレーションに適していない状況でのキャリブレーションを避けることができる。照度センサ４の検出値ｄ１は、例えば、照度センサデータ９Ｃに含まれる複数のデータサンプルから抽出した赤外線成分に対応するデータと可視光成分に対応するデータとの比を含む。すなわち、赤外線成分が可視光に含まれる割合に基づいて、晴れた日中の屋外などの明る過ぎる場所を特定できる。近接センサ５の検出値ｄ２は、近接センサデータ９Ｄに含まれる複数のデータサンプルの平均値を含む。キャリブレーション実行条件９Ｆは、更新条件の一例である。
【００３０】
設定データ９Ｚは、スマートフォン１の動作に関する各種設定の情報を含む。
【００３１】
スマートフォン１は、通信ユニット６を介してクラウドストレージと連携し、当該クラウドストレージが記憶するファイル及びデータにアクセスしてもよい。クラウドストレージは、ストレージ９に記憶されるプログラム及びデータの一部又は全部を記憶してもよい。
【００３２】
コントローラ１０は、演算処理装置を含む。演算処理装置は、例えば、ＣＰＵ（Ｃｅｎｔｒａｌ  Ｐｒｏｃｅｓｓｉｎｇ  Ｕｎｉｔ）、ＳｏＣ（Ｓｙｓｔｅｍ−ｏｎ−ａ−Ｃｈｉｐ）、ＭＣＵ（Ｍｉｃｒｏ  Ｃｏｎｔｒｏｌ  Ｕｎｉｔ）、ＦＰＧＡ（Ｆｉｅｌｄ−Ｐｒｏｇｒａｍｍａｂｌｅ  Ｇａｔｅ  Ａｒｒａｙ）、およびコプロセッサを含むが、これらに限定されない。コントローラ１０は、スマートフォン１の動作を統括的に制御して各種の機能を実現する。
【００３３】
具体的には、コントローラ１０は、ストレージ９に記憶されているデータを必要に応じて参照しつつ、ストレージ９に記憶されているプログラムに含まれる命令を実行する。そして、コントローラ１０は、データ及び命令に応じて機能部を制御し、それによって各種機能を実現する。機能部は、例えば、ディスプレイ２Ａ、通信ユニット６、マイク８、スピーカ１１及びＧＰＳ受信機１９を含むが、これらに限定されない。コントローラ１０は、検出部の検出結果に応じて、制御を変更することがある。検出部は、例えば、タッチスクリーン２Ｂ、ボタン３、照度センサ４、近接センサ５、マイク８、カメラ１２、カメラ１３、加速度センサ１５、方位センサ１６、角速度センサ１７、及び気圧センサ１８を含むが、これらに限定されない。
【００３４】
コントローラ１０は、制御プログラム９Ａを実行することにより、スマートフォン１の動作に関する各種制御を実現できる。
【００３５】
コントローラ１０は、キャリブレーションプログラム９Ｂを実行することにより、キャリブレーション実行条件９Ｆを満足することを条件として、近接センサ５のオフセットを設定する処理を実現できる。コントローラ１０は、例えば、照度センサデータ９Ｃに含まれる複数のデータサンプルから、赤外線成分に対応するデータ及び可視光成分に対応するデータを抽出し、赤外線成分に対応するデータと可視光成分に対応するデータとの比を算出して、算出した比が閾値以下であるかを判定することにより、キャリブレーション実行条件９Ｆを満足するかを判定する処理を実行できる。コントローラ１０は、例えば、近接センサデータ９Ｄに含まれる複数のデータサンプルの平均値を算出し、算出した平均値が閾値以下であるかを判定する処理を実行できる。
【００３６】
スピーカ１１は、コントローラ１０から送出される音信号を音として出力する。スピーカ１１は、例えば、着信音及び音楽を出力するために用いられる。レシーバ７及びスピーカ１１の一方が、他方の機能を兼ねてもよい。
【００３７】
カメラ１２及びカメラ１３は、撮影した画像を電気信号へ変換する。カメラ１２は、ディスプレイ２Ａに面している物体を撮影するインカメラである。カメラ１３は、ディスプレイ２Ａの反対側の面に面している物体を撮影するアウトカメラである。カメラ１２及びカメラ１３は、インカメラ及びアウトカメラを切り換えて利用可能なカメラユニットとして、機能的及び物理的に統合された状態でスマートフォン１に実装されてもよい。
【００３８】
コネクタ１４は、他の装置が接続される端子である。コネクタ１４は、ＵＳＢ（Ｕｎｉｖｅｒｓａｌ  Ｓｅｒｉａｌ  Ｂｕｓ）、ＨＤＭＩ（登録商標）（Ｈｉｇｈ−Ｄｅｆｉｎｉｔｉｏｎ  Ｍｕｌｔｉｍｅｄｉａ  Ｉｎｔｅｒｆａｃｅ）、ＭＨＬ（Ｍｏｂｉｌｅ  Ｈｉｇｈ−ｄｉｆｉｎｉｔｉｏｎ  Ｌｉｎｋ）、ライトピーク（Ｌｉｇｈｔ  Ｐｅａｋ）、サンダーボルト（登録商標）（Ｔｈｕｎｄｅｒｂｏｌｔ）、ＬＡＮコネクタ（Ｌｏｃａｌ  Ａｒｅａ  Ｎｅｔｗｏｒｋ  ｃｏｎｎｅｃｔｏｒ）、イヤホンマイクコネクタのような汎用的な端子であってもよい。コネクタ１４は、Ｄｏｃｋコネクタのような専用に設計された端子でもよい。コネクタ１４に接続される装置は、例えば、充電器、外部ストレージ、スピーカ、通信装置、及び情報処理装置を含むが、これらに限定されない。
【００３９】
加速度センサ１５は、スマートフォン１に作用する加速度の方向及び大きさを検出できる。実施形態の１つの例として、Ｘ軸方向、Ｙ軸方向、及びＺ軸方向の加速度を検出する３軸型の加速度センサ１５を採用できる。加速度センサ１５は、ピエゾ抵抗型、静電容量型、圧電素子型（圧電式）、熱検知型によるＭＥＭＳ（Ｍｉｃｒｏ  Ｅｌｅｃｔｒｏ  Ｍｅｃｈａｎｉｃａｌ  Ｓｙｓｔｅｍｓ）式、動作させた可動コイルをフィードバック電流により元に戻すサーボ式、あるいは歪みゲージ式などにより構成することができる。加速度センサ１５は、検出結果をコントローラ１０に送出する。コントローラ１０は、加速度センサ１５の検出結果に基づいて各種制御を実行できる。例えば、スマートフォン１に作用している重力が加速度として加速度センサ１５から出力されると、コントローラ１０は、スマートフォン１に作用する重力方向を反映した制御を実行できる。
【００４０】
方位センサ１６は、地磁気の向きを検出できる。方位センサ１６は、検出結果をコントローラ１０に送出する。コントローラ１０は、方位センサ１６の検出結果に基づいて各種制御を実行できる。例えば、コントローラ１０は、地磁気の向きからスマートフォン１の向き（方位）を特定し、特定したスマートフォン１の方位を反映した制御を実行できる。
【００４１】
角速度センサ１７は、スマートフォン１の角速度を検出できる。角速度センサ１７は、検出結果をコントローラ１０に送出する。コントローラ１０は、角速度センサ１７の検出結果に基づいて各種制御を実行できる。例えば、コントローラ１０は、角速度センサ１７から出力される角速度の有無に基づいて、スマートフォン１の回転を反映した制御を実現できる。
【００４２】
コントローラ１０は、加速度センサ１５、方位センサ１６、及び角速度センサ１７の各検出結果を個別に利用する場合に限定されず、各検出結果を組み合わせて利用することもできる。
【００４３】
気圧センサ１８は、スマートフォン１に作用する気圧を検出できる。気圧センサ１８の検出結果は、単位時間あたりの気圧変化量を含んでよい。気圧変化量は、絶対値もしくはスカラー量を累積した値であってよい。単位時間は、任意の時間を設定してよい。気圧センサ１８は、検出結果をコントローラ１０に送出する。
【００４４】
ＧＰＳ受信機１９は、ＧＰＳ衛星からの所定の周波数帯の電波信号を受信できる。ＧＰＳ受信機は、受信した電波信号の復調処理を行って、処理後の信号をコントローラ１０に送出する。
【００４５】
スマートフォン１は、バイブレータを備えてもよい。バイブレータは、スマートフォン１の一部又は全体を振動させる。バイブレータは、振動を発生させるために、例えば、圧電素子、又は偏心モータなどを有する。スマートフォン１は、上述のセンサの他、温度センサ、湿度センサ、圧力センサなどを備えてもよい。スマートフォン１は、バッテリなど、スマートフォン１の機能を維持するために当然に用いられる機能部、及びスマートフォン１の制御を実現するために当然に用いられる検出部を実装する。
【００４６】
図３は、実施形態に係るスマートフォンの正面図である。以下の説明において、スマートフォンの正面は、スマートフォン１を利用するユーザと対面する、あるいはユーザに接する面であり、以下の説明おいて「正面」及び「表示面」と記載する場合がある。図３に示すように、スマートフォン１は、ディスプレイ２Ａ、近接センサ５、及びカメラ１２などが設けられる表示面側に、表示面の全面を覆う保護シート２１が設けられる。すなわち、保護シート２１は、近接センサ５の赤外線照射口の真上、すなわち、赤外線照射口全体を覆うように重畳されて設置される。保護シート２１は、所定の接着層を有し、ユーザによる貼り換え自在に構成される。保護シート２１は、落下等の衝撃からディスプレイ２Ａの破損を防止する。
【００４７】
図４は、図３に示すＩ−Ｉ線における断面を模式的に示す図である。図３は、近接センサの設置位置の周辺をｘｚ平面に平行な面で切断したときの断面を示している。図３に示すように、近接センサ５の上部に、保護シート２１、接着層２２、及び強化ガラス２３が設置されている。保護シート２１は、接着層２２により強化ガラス２３に貼り付けられている。近接センサ５と強化ガラス２３との間に、エアギャップＡＧ１が存在する。近接センサ５から照射される赤外線Ｌ１は、近接検知対象物に到達する前に、保護シート２１、接着層２２、及び強化ガラス２３の表面で少なからず反射し、反射光Ｌ２となって近接センサ５により受光される。このように、エアギャップＡＧ１、保護シート２１、接着層２２、及び強化ガラス２３は、近接センサ５から照射される赤外線Ｌ１の透過率に影響を与える。保護シート２１は、図３に示すように、近接センサ５の赤外線照射口の全面を覆うので、保護シート２１、接着層２２、及び強化ガラス２３からの反射光Ｌ２が、近接センサ５によって検出されるときの検出値（以下、適宜「クロストーク値」と記載する）を考慮して、検知対象物との距離が所望の距離で反応するように、近接センサ５のオフセットを設定する必要がある。
【００４８】
図５は、実施形態に係る近接センサの出力と検知距離との関係を示す図である。図５に示す５Ａは、近接センサ５の出力を示す。図５に示す５Ｂは、例えば、図３及び図４に示す近接センサ５により検出されるクロストーク値に相当する出力を示す。図５に示す５Ｃは、例えば、検知距離を３０ミリメートルに設定した場合における近接センサ５のクロストーク値の変化許容幅を示す。例えば、何らかの要因で、クロストーク値が大きくなり、変化許容幅（５Ｃ）を超えると、近接センサが所望の検知距離（例えば、３０ミリメートル）で反応しなくなってしまう。
【００４９】
保護シート２１は、例えば、ユーザによる貼り換えが自在に行えるように構成されるので、保護シート２１の貼り換えが行われた場合、貼り換えられた保護シート２１の素材並びに接着層２２の材料、保護シート２１と強化ガラス２３との貼付状況などにより、クロストーク値が変化するおそれがある。このため、保護シート２１の貼り換え後は、再びオフセットを更新する必要がある。そこで、実施形態に係るスマートフォン１は、保護シート２１の貼り換えが行われた場合、近接センサ５のキャリブレーションを実行する方法を提案する。
【００５０】
図６及び図７を用いて、実施形態に係るスマートフォン１による処理の例を説明する。図６は、実施形態に係るスマートフォンによる処理の一例を示すフローチャートである。図７は、実施形態に係るユーザインタフェースの一例を示す図である。図６に示す処理は、コントローラ１０がキャリブレーションプログラム９Ｂを実行することにより実現される。図１０に示す処理は、スマートフォン１が動作可能な状態であれば、給電を一部制御するモード、いわゆる省電力モードのときにも実行される。
【００５１】
図６に示すように、コントローラ１０は、近接センサ５の感度補正開始指示があったかを判定する（ステップＳ１０１）。具体的には、図７に示すように、スマートフォン１は、ディスプレイ２Ａに表示する各種設定画面ＳＣ１において、「近接センサ感度補正」に対する操作を受け付けると（図７の「Ｕ１」参照）、近接センサ感度補正画面ＳＣ２をディスプレイ２Ａに表示する（図７の「Ｕ２」参照）。そして、スマートフォン１は、近接センサ感度補正画面ＳＣ２において、「開始」に対する操作を受け付けると（図７の「Ｕ２」参照）、近接センサ５の感度補正開始指示があったものと判定する。
【００５２】
コントローラ１０は、判定の結果、近接センサ５の感度補正開始指示があった場合（ステップＳ１０１，Ｙｅｓ）、照度センサデータ９Ｃを取得する（ステップＳ１０２）。続いて、コントローラ１０は、近接センサデータ９Ｄを取得する（ステップＳ１０３）。
【００５３】
コントローラ１０は、照度センサデータ９Ｃ及び近接センサデータ９Ｄがキャリブレーション実行条件９Ｆを満足するか否かを判定する（ステップＳ１０４）。
【００５４】
コントローラ１０は、判定の結果、照度センサデータ９Ｃ及び近接センサデータ９Ｄがキャリブレーション実行条件９Ｆを満足する場合（ステップＳ１０４，Ｙｅｓ）、近接センサ５のオフセットを更新する（ステップＳ１０５）。
【００５５】
続いて、コントローラ１０は、近接センサ５の感度補正に成功した旨のメッセージを表示して（ステップＳ１０６）、図６に示す処理を終了する。例えば、コントローラ１０は、図７に示すように、ディスプレイ２Ａに表示する処理結果画面ＳＣ３に近接センサ５の感度補正に成功した旨のメッセージを表示する（図７の「Ｕ３」参照）。
【００５６】
ステップＳ１０４において、コントローラ１０は、判定の結果、照度センサデータ９Ｃ及び近接センサデータ９Ｄがキャリブレーション実行条件９Ｆを満足しない場合（ステップＳ１０４，Ｎｏ）、近接センサ５の感度補正に失敗した旨のメッセージを表示して（ステップＳ１０７）、図６に示す処理を終了する。例えば、コントローラ１０は、図７に示すように、ディスプレイ２Ａに表示する処理結果画面ＳＣ４に近接センサ５の感度補正に失敗した旨のメッセージを表示する（図７の「Ｕ４」参照）。
【００５７】
ステップＳ１０１において、コントローラ１０は、判定の結果、近接センサ５の感度補正開始指示がない場合（ステップＳ１０１，Ｎｏ）、図６に示す処理を終了する。
【００５８】
上記の実施形態では、スマートフォン１が、保護シート２１の貼り換えを行ったユーザによるキャリブレーション実行操作を検出して、近接センサ５のキャリブレーションを実行し、近接センサ５のオフセットを更新できる。このため、スマートフォン１は、例えば、保護シート２１の貼り換えを原因とする近接センサ５の動作の不具合を防止できる。
【００５９】
上記の実施形態において、スマートフォン１は、図７に示す処理結果画面ＳＣ３及び処理結果画面ＳＣ４にメッセージを表示することにより、感度補正の処理結果を通知する例を説明したが、これには限定されず、ポップアップ表示、バナー表示、ステータスバーへのアイコン表示、メッセージの音声出力などの方法により通知してもよい。
【００６０】
（他の実施形態）
上記の実施形態では、ユーザによるキャリブレーション実行操作を検出してオフセットの更新を実行する例を説明したが、以下の実施形態では、オフセットの自動更新について説明する。
【００６１】
他の実施形態に係るスマートフォン１の機能的な構成は、基本的には、上記の実施形態と同様であるが、以下に説明する点が異なる。
【００６２】
キャリブレーションプログラム９Ｂは、オフセットの更新後、所定の周期で、照度センサ４及び近接センサ５の検出値、並びに加速度センサ１５の検出値がキャリブレーション実行条件９Ｆを満足するか否かを判定し、判定の結果、キャリブレーション実行条件９Ｆを満足する場合、オフセットを更新する機能を提供できる。所定の周期は、例えば、近接センサのオフセットについて定期的な見直しを実施する目的で任意の時間が設定される。所定の周期は、任意の時間が設定されてよい。
【００６３】
図８は、他の実施形態に係るキャリブレーション実行条件の一例を示す図である。図８に示す例では、照度センサ４の検出値ｄ１が閾値ｔｈ１以下であり、近接センサ５の検出値ｄ２が閾値ｔｈ２以下であり、さらに、加速度センサ１５の検出値ｄ３が閾値ｔｈ３以下である場合、キャリブレーションを実行することが規定されている。一方、図８に示す例では、照度センサ４の検出値ｄ１が閾値ｔｈ１より大きく、かつ近接センサ５の検出値ｄ２が閾値ｔｈ２よりも大きく、さらに、加速度センサ１５の検出値ｄ３が閾値ｔｈ３より大きい場合、キャリブレーションを実行しないことが規定されている。
【００６４】
すなわち、図２に示す例に加えて、加速度センサ１５の検出値ｄ３が閾値ｔｈ３より大きい場合を、キャリブレーションを実行しない必要条件の１つとして組み入れることにより、スマートフォン１を手に持って移動している状態など、スマートフォン１が不安定で、赤外線型の近接センサ５のキャリブレーションに適していない状況下でキャリブレーションが実行されることを避けることができる。キャリブレーション実行条件９Ｆは、更新条件の一例である。
【００６５】
コントローラ１０は、キャリブレーションプログラム９Ｂを実行することにより、オフセットの更新後、所定の周期で、照度センサ４及び近接センサ５の検出値、並びに加速度センサ１５の検出値がキャリブレーション実行条件９Ｆを満足するか否かを判定し、判定の結果、キャリブレーション実行条件９Ｆを満足する場合、オフセットを更新する処理を実現する。
【００６６】
図９は、他の実施形態に係るスマートフォンによる処理の一例を示すフローチャートである。図９に示す処理は、コントローラ１０がキャリブレーションプログラム９Ｂを実行することにより実現される。図９に示す処理は、スマートフォン１が動作可能な状態であれば、給電を一部制御するモード、いわゆる省電力モードのときにも実行される。
【００６７】
図９に示すように、コントローラ１０は、近接センサ５の感度補正の実行周期に到達しているかを判定する（ステップＳ２０１）。
【００６８】
コントローラ１０は、判定の結果、感度補正の実行周期に到達している場合（ステップＳ２０１，Ｙｅｓ）、照度センサデータ９Ｃを取得する（ステップＳ２０２）。続いて、コントローラ１０は、近接センサデータ９Ｄを取得する（ステップＳ２０３）。続いて、コントローラ１０は、加速度センサデータ９Ｅを取得する（ステップＳ２０４）。
【００６９】
コントローラ１０は、照度センサデータ９Ｃ、近接センサデータ９Ｄ、及び加速度センサデータ９Ｅがキャリブレーション実行条件９Ｆを満足するか否かを判定する（ステップＳ２０５）。
【００７０】
コントローラ１０は、判定の結果、照度センサデータ９Ｃ、近接センサデータ９Ｄ、及び加速度センサデータ９Ｅがキャリブレーション実行条件９Ｆを満足する場合（ステップＳ２０５，Ｙｅｓ）、近接センサ５のオフセットを更新する（ステップＳ２０６）。
【００７１】
一方、コントローラ１０は、判定の結果、照度センサデータ９Ｃ、近接センサデータ９Ｄ、及び加速度センサデータ９Ｅがキャリブレーション実行条件９Ｆを満足しない場合（ステップＳ２０５，Ｎｏ）、近接センサ５の感度補正に失敗した旨のメッセージを表示して（ステップＳ２０７）、図９に示す処理を終了する。
【００７２】
ステップＳ２０１において、コントローラ１０は、判定の結果、感度補正を実行しない場合（ステップＳ２０１，Ｎｏ）、図９に示す処理を終了する。
【００７３】
図９に示す処理において、スマートフォン１は、図６及び図７に示すように、感度補正に成功した旨のメッセージを表示するステップを実行してもよい。
【００７４】
上記の他の実施形態によれば、スマートフォン１は、近接センサ５のオフセットを定期的に更新するので、近接センサ５の感度をできるだけ維持することができる。
【００７５】
近接センサ５のオフセットの更新は、所定の周期以外の種々の契機で実行されてよい。以下では、図１０及び図１１を用いて、近接センサ５のオフセットを更新するタイミングに関する他の例について説明する。図１０及び図１１は、他の実施形態に係るスマートフォンによる処理の一例を示すフローチャートである。
【００７６】
図１０は、近接センサ５のクロストーク値の変化に基づいて、近接センサのオフセットの更新を実行する処理の例を示す。
【００７７】
図１０に示すように、コントローラ１０は、近接センサ５のクロストーク値が閾値以上であるかを判定する（ステップＳ３０１）。例えば、コントローラ１０は、近接センサ５の出力からクロストーク値を推定し、推定したクロストーク値と設定中のオフセット（製品出荷時の初期設定値）との差分（変化量）が、閾値（例えば、変化許容幅５Ｃ（図５参照））以上であるかを判定する。製品出荷後、ユーザの手元で使用されているときのクロストーク値は、例えば、近接センサが反応していない時（所定の距離を検知していないとき）の出力の平均から推定できる。平均は、任意の時間内に検出された近接センサの出力に基づいて算出してよい。
【００７８】
コントローラ１０は、判定の結果、クロストーク値が閾値以上である場合（ステップＳ３０１，Ｙｅｓ）、照度センサデータ９Ｃを取得する（ステップＳ３０２）。続いて、コントローラ１０は、近接センサデータ９Ｄを取得する（ステップＳ３０３）。続いて、コントローラ１０は、加速度センサデータ９Ｅを取得する（ステップＳ３０４）。
【００７９】
コントローラ１０は、照度センサデータ９Ｃ、近接センサデータ９Ｄ、及び加速度センサデータ９Ｅがキャリブレーション実行条件９Ｆを満足するか否かを判定する（ステップＳ３０５）。
【００８０】
コントローラ１０は、判定の結果、照度センサデータ９Ｃ、近接センサデータ９Ｄ、及び加速度センサデータ９Ｅがキャリブレーション実行条件９Ｆを満足する場合（ステップＳ３０５，Ｙｅｓ）、近接センサ５のオフセットを更新する（ステップＳ３０６）。
【００８１】
一方、コントローラ１０は、判定の結果、照度センサデータ９Ｃ、近接センサデータ９Ｄ、及び加速度センサデータ９Ｅがキャリブレーション実行条件９Ｆを満足しない場合（ステップＳ３０５，Ｎｏ）、近接センサ５の感度補正に失敗した旨のメッセージを表示して（ステップＳ３０７）、図１０に示す処理を終了する。
【００８２】
ステップＳ３０１において、コントローラ１０は、判定の結果、クロストーク値が閾値以上ではない場合（ステップＳ３０１，Ｎｏ）、図１０に示す処理を終了する。
【００８３】
図１０に示す処理においても、スマートフォン１は、図６及び図７に示すように、感度補正に成功した旨のメッセージを表示するステップを実行してもよい。
【００８４】
例えば、スマートフォン１を使用することによって、保護シート２１の表面に損傷が発生して保護シート２１の光の透過率などが変化したり、熱又は光などにより接着層２２が劣化して接着層２２の光の透過率などが変化したりする場合が考えられる。図１０に示す例では、スマートフォン１が、近接センサ５のクロストーク値の変化をモニタリングするので、例えば、保護シート２１の損傷並びに接着層２２の劣化がクロストーク値の変化という形で顕出した場合に対処できる。そして、スマートフォン１は、クロストーク値の変化に追従して近接センサ５のオフセットを更新できるので、近接センサ５の感度を有効な状態で管理しやすい。
【００８５】
図１１は、指紋認証が実行されたタイミングで近接センサのオフセットの更新を実行する処理の例を示す。
【００８６】
図１１に示すように、コントローラ１０は、指紋認証が実行されたかを判定する（ステップＳ４０１）。
【００８７】
コントローラ１０は、判定の結果、指紋認証が実行された場合（ステップＳ４０１，Ｙｅｓ）、照度センサデータ９Ｃを取得する（ステップＳ４０２）。続いて、コントローラ１０は、近接センサデータ９Ｄを取得する（ステップＳ４０３）。続いて、コントローラ１０は、加速度センサデータ９Ｅを取得する（ステップＳ４０４）。
【００８８】
コントローラ１０は、照度センサデータ９Ｃ、近接センサデータ９Ｄ、及び加速度センサデータ９Ｅがキャリブレーション実行条件９Ｆを満足するか否かを判定する（ステップＳ４０５）。
【００８９】
コントローラ１０は、判定の結果、照度センサデータ９Ｃ、近接センサデータ９Ｄ、及び加速度センサデータ９Ｅがキャリブレーション実行条件９Ｆを満足する場合（ステップＳ４０５，Ｙｅｓ）、近接センサ５のオフセットを更新する（ステップＳ４０６）。
【００９０】
一方、コントローラ１０は、判定の結果、照度センサデータ９Ｃ、近接センサデータ９Ｄ、及び加速度センサデータ９Ｅがキャリブレーション実行条件９Ｆを満足しない場合（ステップＳ４０５，Ｎｏ）、近接センサ５の感度補正に失敗した旨のメッセージを表示して（ステップＳ４０７）、図１１に示す処理を終了する。
【００９１】
ステップＳ４０１において、コントローラ１０は、判定の結果、指紋認証が実行されていない場合（ステップＳ４０１，Ｎｏ）、図１１に示す処理を終了する。
【００９２】
図１１に示す処理においても、スマートフォン１は、図６及び図７に示すように、感度補正に成功した旨のメッセージを表示するステップを実行してもよい。
【００９３】
図１１に示す処理において、スマートフォン１は、近接センサデータ９Ｄをキャリブレーション実行条件９Ｆの判定対象から除外してもよい。すなわち、スマートフォン１において指紋認証が実行される場合、近接センサ５の上部に障害物がない場合が想定されるので、近接センサ５の上部に障害物があるか否かの判定指標である近接センサデータ９Ｄを始めから除外する趣旨である。
【００９４】
添付の請求項に係る技術を完全かつ明瞭に開示するために特徴的な実施形態に関し記載してきた。しかし、添付の請求項は、上記の実施形態に限定されるべきものでなく、本明細書に示した基礎的事項の範囲内で当該技術分野の当業者が創作しうるすべての変形例及び代替可能な構成により具現化されるべきである。
【符号の説明】
【００９５】
１  スマートフォン
２  タッチスクリーンディスプレイ
２Ａ  ディスプレイ
２Ｂ  タッチスクリーン
３  ボタン
４  照度センサ
５  近接センサ
６  通信ユニット
７  レシーバ
８  マイク
９  ストレージ
９Ａ  制御プログラム
９Ｂ  キャリブレーションプログラム
９Ｃ  照度センサデータ
９Ｄ  近接センサデータ
９Ｅ  加速度センサデータ
９Ｆ  キャリブレーション実行条件
９Ｚ  設定データ
１０  コントローラ
１１  スピーカ
１２  カメラ
１３  カメラ
１４  コネクタ
１５  加速度センサ
１６  方位センサ
１７  角速度センサ
１８  気圧センサ
１９  ＧＰＳ受信機
【図１】
2019002726.tif 000003
【図２】
2019002726.tif 000004
【図３】
2019002726.tif 000005
【図４】
2019002726.tif 000006
【図５】
2019002726.tif 000007
【図６】
2019002726.tif 000008
【図７】
2019002726.tif 000009
【図８】
2019002726.tif 000010
【図９】
2019002726.tif 000011
【図１０】
2019002726.tif 000012
【図１１】
2019002726.tif 000013